(57)【要約】      （修正有）【課題】トレーの特殊な構造設計とその材質強度の増強により、該トレーは食品と肉汁を分離可能で、食品の鮮度を保持し、該トレーは変形しにくく、環境保護の条件にも符合する。【解決手段】主にリサイクル可能な材料により製造し食品を入れるトレーとする。該トレー底は４面のトレー壁を延伸し、該トレー底中央には凸型収納部を具え、該凸型収納部周囲には補強効果を具えた凸ブロックを４面のトレー壁中央にまで延伸する。該トレー底には数個の凹型エリアブロックを形成し、該トレー底には数個の分離隔絶棒を設置し、該トレー壁上縁には補強のトレー端部を延伸する。【選択図】図２
0003124654.tif 000002
【実用新案登録請求の範囲】
【請求項１】
主にリサイクル可能な材料により製造し食品を入れるトレーとし、
該トレー底は４面のトレー壁を延伸し、該トレー底中央には凸型収納部を具え、該凸型収納部周囲には補強効果を具えた凸ブロックを４面のトレー壁中央にまで延伸し、該トレー底に局部突起形状と数個の凹型エリアブロックを形成することを特徴とする生鮮トレーの構造。
【請求項２】
請求項１記載の生鮮トレーの構造において、前記トレー底には数個の分離隔絶棒を設置することを特徴とする生鮮トレーの構造。
【請求項３】
請求項１記載の生鮮トレーの構造において、前記トレー壁上縁には補強のトレー端部を延伸することを特徴とする生鮮トレーの構造。
【請求項４】
請求項３記載の生鮮トレーの構造において、前記トレー端部は尖った形状或いは平らな形状であることを特徴とする生鮮トレーの構造。
【請求項５】
請求項１記載の生鮮トレーの構造において、前記凸型収納部は「日」字型とすることもできることを特徴とする生鮮トレーの構造。
【考案の詳細な説明】
【技術分野】
【０００１】
本考案は一種の生鮮トレーの構造に関する。特に一種の紙類或いはポリラクティック酸(PLA)製のトレーで、食品と肉汁を隔離可能で、食品を新鮮に保ち環境保護の条件にも合致する生鮮トレーの構造に係る。
【背景技術】
【０００２】
従来生鮮食品を入れる時には一般にはポリスチレントレーを使用して来た。ポリスチレンはポリスチレン(PS)に発泡剤を加え、加熱し製造する軽量の材質で、その体積の90%から95%は空気である。
【０００３】
図１に示すように、該構造は底部aを含み、該底部aより4面の環壁bが延伸する。しかしポリスチレントレーの底部aは平面でかつ凹凸のない形状であるため、食品を該ポリスチレントレーの底部aに入れると、肉汁は食品と隔離されず、食品が肉汁に浸ってしまい、食品の鮮度を保持することができなかった。さらに、ポリスチレントレーは軽量で、体積内部はほとんど空気であるためもろく破裂し易く、非常に不便であった。またポリスチレン材質は使用の過程において、直接或いは間接的に一種の有毒物質を発生するが、これに加えてリサイクルには向かないため廃棄物はゴミとなり、さらに環境において自然分解することもないため環境破壊を招いている。
【考案の開示】
【考案が解決しようとする課題】
【０００４】
本考案の主な目的は、紙類或いはポリラクティック酸(PLA)により製造するトレーで、トレーの構造を改良することにより、その強度を高め、食品と肉汁を分離可能で、食品の鮮度を保持し、環境保護の条件にも符合する。
【０００５】
またそれはリサイクル可能な材料により製造し食品を入れるトレーとし、該トレー底は４面のトレー壁を延伸し、該トレー底中央には凸型収納部を具え、該凸型収納部周囲には補強効果を具えた凸ブロックを４面のトレー壁中央にまで延伸し、該トレー底には数個の凹型エリアブロックを形成し、該トレー底には数個の分離隔絶棒を設置し、該トレー壁上縁には補強のトレー端部を延伸する。
【０００６】
さらに該トレーの特殊な構造により、該トレーの強度は明らかに向上し、食品をトレー底の凸型収納部に置くと、肉汁はトレー底に形成する数個の凹型エリアブロック内に流入し、食品と肉汁を分離可能で、該トレー壁周囲には補強ための凸ブロックを設置し、これにより該トレーはさらに堅固になり、該トレー上縁には補強のトレー端部を設置するため、より強力にトレー壁をサポートし、該トレーは変形しにくく、断裂や破損もしにくくなり、加えてそれは微生物により分解可能であるため、環境汚染を招くことはなく、植物繊維或いはリサイクルペーパーを原料とすれば、その廃棄物は紙の原料として再利用され、廃棄物資源化の最高のレベルを達成する。
【課題を解決するための手段】
【０００７】
請求項１の考案は、主にリサイクル可能な材料により製造し食品を入れるトレーとし、該トレー底は４面のトレー壁を延伸し、該トレー底中央には凸型収納部を具え、該凸型収納部周囲には補強効果を具えた凸ブロックを４面のトレー壁中央にまで延伸し、該トレー底に局部突起形状と数個の凹型エリアブロックを形成することを特徴とする生鮮トレーの構造としている。
請求項２の考案は、請求項１記載の生鮮トレーの構造において、前記トレー底には数個の分離隔絶棒を設置することを特徴とする生鮮トレーの構造としている。
請求項３の考案は、請求項１記載の生鮮トレーの構造において、前記トレー壁上縁には補強のトレー端部を延伸することを特徴とする生鮮トレーの構造としている。
請求項４の考案は、請求項３記載の生鮮トレーの構造において、前記トレー端部は尖った形状或いは平らな形状であることを特徴とする生鮮トレーの構造としている。
請求項５の考案は、請求項１記載の生鮮トレーの構造において、前記凸型収納部は「日」字型とすることもできることを特徴とする生鮮トレーの構造としている。
【考案の効果】
【０００８】
本考案は物理的な強度を増強し、構造を堅固にすると同時に食品と肉汁を分離し食品の鮮度を確保することができ、また環境保護にも役立つという長所を具える。
【考案を実施するための最良の形態】
【０００９】
本考案は主に紙類或いはポリラクティック酸(PLA)などのリサイクル可能な材料を利用する。ポリラクティック酸(PLA)はバイオテクノロジーにより製造するもので、植物由来のブドウ糖結晶を発酵、脱水により乳酸とし、さらに重合反応により製造する。しかもその加工性は一般のプラスチックに近く、材質は透明で、外観は一般のプラスチックに相似しており、食品を入れるトレーに用いられる。
【００１０】
図２に示すように、該トレーの４辺は上方へと延伸し４面の壁を形成する。該トレー底中央には凸型収納部１０を形成し、しかも該凸型収納部１０周囲には補強効果を具えた数個の凸ブロック２０を延伸する。該補強効果を具えた数個の凸ブロック２０は４面のトレー壁中央部位に設置する。該トレー底は局部が突起した形状を呈するため、トレー底は数個の凹型エリアブロック３０を形成する。さらに、トレー底には別に数個の分離隔絶棒４０を設置し、該トレー壁上縁には補強のトレー端部５０を延伸する。
【００１１】
さらに図２、３に示すように、該トレーの使用時には、先ず食品６０を該凸型収納部１０上に入れる。該トレー底の凸型収納部１０により該食品６０はその上方に置かれることになる。該食品６０内に含まれる肉汁が滲み出して来たなら、それぞれ該トレー底周囲及び中央に形成する数個の凹型エリアブロック３０に流入し、こうして該食品６０は隔絶される。
【００１２】
該トレー壁４面に延伸する補強効果を具えた数個の凸ブロック２０は主に該トレーを堅固にし、２個以上のトレーを重ねる時には、トレー底の数個の凹型エリアブロック３０内に平均に設置する数個の分離隔絶棒４０を利用し、簡単にトレーを分けることができる。またトレー上縁４面には補強のトレー端部５０(尖った形状或いは平らな形状)を延伸するため、さらなるサポートを提供することができる。こうして該トレーはより堅固になり、変形しにくく、断裂や破損もしにくくなる。
【００１３】
続いて図４に示すように、該凸型収納部１０は「日」字型とすることもでき、該トレー底中央及び周囲には数個の凹型エリアブロック３０を形成する。しかも、４面のトレー壁には補強効果を具えた数個の凸ブロック２０を設置する。該数個の凹型エリアブロック３０内には数個の分離隔絶棒４０を設置し、しかも４面のトレー壁上縁には補強のトレー端部５０(尖った形状或いは平らな形状)を延伸する。
【００１４】
さらに該トレーは分解性が高いという条件を具えるため、製品は空気中に曝されても分解はしないが、十分な湿度と、酸素、適当な微生物が存在する自然に埋められ、或いは堆肥中などの環境では、微生物が二酸化炭素と水に分解するため、環境を汚染する恐れは一切ない。
【図面の簡単な説明】
【００１５】
【図１】公知のポリスチレントレーの立体図である。
【図２】本考案の立体図である。
【図３】本考案の断面表示図である。
【図４】本考案別種の実施例の立体図である。
【符号の説明】
【００１６】
１０  凸型収納部
２０  凸ブロック
３０  凹型エリアブロック
４０  分離隔絶棒
５０  トレー端部
６０  食品
【図１】
0003124654.tif 000003
【図２】
0003124654.tif 000004
【図３】
0003124654.tif 000005
【図４】
0003124654.tif 000006